(57)【特許請求の範囲】
【請求項１】
水中ポンプに用いられる逆止弁の弁体を前記水中ポンプの軸方向に案内する弁体ガイドであって、前記弁体ガイドは、
前記弁体と接触して前記弁体を前記水中ポンプの軸方向に案内する複数のガイド部と、
前記弁体ガイドを前記水中ポンプに取り付けるための複数の取付部とを有し、
前記ガイド部の前記弁体との接触部分において、前記水中ポンプの軸方向に垂直な前記ガイド部の断面が前記弁体に向かう方向に突出して湾曲しており、
前記複数のガイド部と前記複数の取付部は一体化している弁体ガイド。
【請求項２】
前記水中ポンプの回転軸の回転方向において、前記ガイド部の各々の両側に前記取付部が配置されている、請求項１記載の弁体ガイド。
【請求項３】
前記弁体ガイドは、
前記弁体と接触して前記弁体の、前記水中ポンプの軸方向の移動を制限する制限部を有し、
前記制限部の前記弁体との接触部分において、前記水中ポンプの回転軸の回転方向における前記制限部の断面が前記弁体に向かう方向に突出して湾曲している請求項１又は２に記載の弁体ガイド。
【請求項４】
水中ポンプに用いられる逆止弁の弁体の、前記水中ポンプの軸方向の移動を制限する弁体ガイドであって、前記弁体ガイドは、
前記弁体と接触して前記弁体の、前記水中ポンプの軸方向の移動を制限する制限部と、
前記弁体ガイドを前記水中ポンプに取り付けるための取付部とを有し、
前記制限部の前記弁体との接触部分において、前記水中ポンプの回転軸の回転方向における前記制限部の断面が前記弁体に向かう方向に突出して湾曲している弁体ガイド。
【請求項５】
複数個の前記制限部と、複数個の取付部とを有し、
前記複数の制限部と前記複数の取付部は、一体化している請求項４記載の弁体ガイド。
【請求項６】
請求項１から５までのいずれか一項に記載の弁体ガイドと、
前記弁体ガイドと組み合わせて用いられる前記弁体と、
羽根車と、
前記弁体ガイド、前記弁体、及び前記羽根車を収容する中間ケーシングと、
液体を吸い込む吸込みケーシングと、
液体を送出する吐出しケーシングとを有するポンプ部。
【請求項７】
請求項６に記載のポンプ部と、
前記羽根車を駆動するモータ部とを有する水中ポンプ。
【請求項８】
請求項７に記載の水中ポンプと、
前記吐出しケーシングに接続されて、前記吐出しケーシングが送出する液体が流れる配管と、
前記モータ部を制御する制御部とを有する水中ポンプユニット。
【発明の詳細な説明】
【技術分野】
【０００１】
本発明は、水中ポンプに係り、井戸水等の液体を吸い上げるために液体中に沈められる水中ポンプ、例えば深井戸用水中ポンプに関する。
【背景技術】
【０００２】
深井戸用水中ポンプなどの水中ポンプは、ポンプを停止する際に、ポンプ部に連結された揚水管内の水が一気に落水することがある。落水した水は、ポンプ部の吐出口からポンプ部内に勢いよく浸入してポンプ部品を破損する可能性がある。破損を防止するため、ポンプ部の吐出口近傍に、弁体及び弁体ガイドを有する逆止弁が内蔵されている。実開昭６２-１１７３６３号には、シリンダ状の弁体ガイドの内側を、弁体が弁体ガイドによりガイドされながら移動する逆止弁が開示されている。
【０００３】
深井戸用水中ポンプは飲料水の圧送などに用いられることも多いため、液体と接触する接液部の材料は耐食性のあるステンレスが用いられる。更に、比較的小型の深井戸用水中ポンプは、製品販売台数も多いため、大量生産による製造原価抑制を目的としてプレス成型部品が多く用いられている。従って、弁体、及び弁体の上下動をガイドする弁体ガイドは、ステンレス鋼板をプレス成型することにより製造されることが多い。
【０００４】
そのような背景の中で、弁体ガイドと弁体の接触部分において、弁体ガイドと弁体のうちの一方の部品がプレス打ち抜き破断面を有する場合、他方の部品は一方の部品の打ち抜き破断面のエッジと摺動する。このため、弁体または弁体ガイドのうちの当該他方が摩耗し、破損するという問題があった。
【０００５】
また、弁体ガイドが水中ポンプの回転軸の回転方向に（すなわち、円周方向に）複数個の部品に分割された構造の場合、次のような問題もあった。すなわち、弁体ガイドは、その外周にあるポンプケーシングに組付けられるが、複数個の部品のそれぞれを個別にポンプケーシングに溶接等により、固定することが必要であった。溶接等による固定は、コストが掛かり、大量生産による製造原価抑制という目的に適合していなかった。
【先行技術文献】
【特許文献】
【０００６】
【特許文献１】実開昭６２-１１７３６３号
【発明の概要】
【発明が解決しようとする課題】
【０００７】
本発明は、前述のような問題点を解消すべくなされたもので、その目的は、弁体と弁体ガイドとの接触面の摩耗を抑制した水中ポンプを提供することである。
本発明の他の目的は、ポンプ製造原価を抑制し、安価な水中ポンプを提供することである。
【課題を解決するための手段】
【０００８】
上記課題を解決するために、第１の形態では、水中ポンプに用いられる逆止弁の弁体を前記水中ポンプの軸方向に案内する弁体ガイドであって、前記弁体ガイドは、前記弁体と接触して前記弁体を前記水中ポンプの軸方向に案内する複数のガイド部と、前記弁体ガイドを前記水中ポンプに取り付けるための複数の取付部とを有し、前記ガイド部の前記弁体との接触部分において、前記水中ポンプの軸方向に垂直な前記ガイド部の断面が前記弁体に向かう方向に突出して湾曲しており、前記複数のガイド部と前記複数の取付部は一体化
している、という構成を採っている。
【０００９】
このような構成を採ることにより、水中ポンプに内蔵されている逆止弁の案内部品（すなわち、弁体ガイド）について、弁体ガイドと弁体との接触部分の形状を湾曲形状（すなわち、丸みを帯びた形状）とすることができる。弁体ガイドのプレス打ち抜き破断面が弁体と接触する場合と比較して、本形態によればポンプ運転中及びポンプ始動／停止時の弁体の上下動又は横移動による弁体の摩耗を抑制することができる。
【００１０】
また、前記複数のガイド部と前記複数の取付部は一体化しているため、弁体ガイドを一体部品で成形可能である。また水中ポンプの軸方向に垂直なガイド部の断面が弁体に向かう方向に突出して湾曲しているため、湾曲している部分を水中ポンプの軸方向に工具等により押して、弁体ガイドの外形寸法を一時的に小さくすることができる。弁体ガイドの外形寸法をポンプケーシングの内径寸法より大きく製作しておき、ケーシングに弁体ガイドを嵌め込むときに、弁体ガイドの外形寸法を一時的に小さくして、ケーシングに弁体ガイドを嵌め込むことができる。嵌め込み後は、弁体ガイドの弾性により、ケーシングに弁体ガイドを固定できる。
【００１１】
すなわち、一体部品であること、及び湾曲部分を有することにより、溶接等を用いることなくケーシングへの弁体ガイドの組付けが可能である。この結果、ポンプケーシングへの弁体ガイドの組付けを容易にし、結果的にポンプ製造原価を抑制し、安価なポンプの提供を可能とする。
【００１２】
第２の形態では、前記水中ポンプの回転軸の回転方向において、前記ガイド部の各々の両側に前記取付部が配置されている、という構成を採っている。
このような構成を採ることにより、１個のガイド部をその両側から、２個の取付部で保持することができる。２個の取付部は、ケーシングに取り付けられ、２個の取付部はケーシングに確実に保持される。２個の取付部が確実に保持されるため、結果として、ガイド部が確実に保持される。ガイド部が確実に保持されるため、弁体をその正しい位置に確実に保持することができ、長期間にわたるポンプ運転中に弁体を確実にガイドすることができる。
【００１３】
第３の形態では、前記弁体ガイドは、前記弁体と接触して前記弁体の、前記水中ポンプの軸方向の移動を制限する制限部を有し、前記制限部の前記弁体との接触部分において、前記水中ポンプの回転軸の回転方向における前記制限部の断面が前記弁体に向かう方向に突出して湾曲している、という構成を採っている。
【００１４】
このような構成を採ることにより、水中ポンプに内蔵されている逆止弁の弁体ガイドについて、弁体ガイドと弁体との接触部分の形状を湾曲形状とすることができる。弁体ガイドのプレス打ち抜き破断面が弁体と接触する場合と比較して、本形態によればポンプ運転中及びポンプ始動／停止時の弁体の上下動又は横移動による弁体の摩耗を抑制することができる。
【００１５】
なお、前記弁体ガイドは、３個以上の前記ガイド部を有する、という構成を採ることができる。また、前記弁体ガイドは、３個以上の前記制限部を有する、という構成を採ることができる。これらの場合、弁体ガイドと弁体が３か所以上で接触するため、弁体ガイドは安定的に弁体をガイドすることができる。
【００１６】
第４の形態では、水中ポンプに用いられる逆止弁の弁体の、前記水中ポンプの軸方向の移動を制限する弁体ガイドであって、前記弁体ガイドは、前記弁体と接触して前記弁体の、前記水中ポンプの軸方向の移動を制限する制限部と、前記弁体ガイドを前記水中ポンプ
に取り付けるための取付部とを有し、前記制限部の前記弁体との接触部分において、前記水中ポンプの回転軸の回転方向における前記制限部の断面が前記弁体に向かう方向に突出して湾曲している、という構成を採っている。本形態によれば、一体化していない弁体ガイドにおいて、第３の形態と同様な効果が得られる。
【００１７】
第５の形態では、複数個の前記制限部と、複数個の取付部とを有し、前記複数の制限部と前記複数の取付部は、一体化している、という構成を採っている。
【００１８】
第６の形態では、形態１から５までのいずれか一項に記載の弁体ガイドと、前記弁体ガイドと組み合わせて用いられる前記弁体と、羽根車と、前記弁体ガイド、前記弁体、及び前記羽根車を収容する中間ケーシングと、液体を吸い込む吸込みケーシングと、液体を送出する吐出しケーシングとを有するポンプ部、という構成を採っている。
【００１９】
第７の形態では、形態６に記載のポンプ部と、前記羽根車を駆動するモータ部とを有する水中ポンプ、という構成を採っている。第８の形態では、形態７に記載の水中ポンプと、前記吐出しケーシングに接続されて、前記吐出しケーシングが送出する液体が流れる配管と、前記モータ部を制御する制御部とを有する水中ポンプユニット、という構成を採っている。
【図面の簡単な説明】
【００２０】
【図１】深井戸用水中ポンプユニットの全体構成図である。
【図２】深井戸用水中ポンプのポンプ部の全体図である。
【図３】図２の中間ケーシング１１４の一部である中間ケーシング１１４ａの部分断面図を示す図である。
【図４】図４は、本実施形態における逆止弁１２６を示し、図２のＡ部を拡大して示す図である。
【図５】図５は、図４に示す弁体ガイド１２２を、図４の上方から見た図である。
【図６】図６は弁体１２０の斜視図である。図６は、図４の上方斜めから見た斜視図である。
【図７】図７は、図４、５に示す弁体ガイド１２２を、図４の上方斜めから見た斜視図である。
【図８】弁体ガイド１２２の６面図である。
【図９】図８（ｃ）に示す弁体ガイド１２２を、図８（ｃ）のＧ方向斜め上から見た斜視図である。
【図１０】弁体１２０と弁体ガイド１２２とが組み立てられたときの斜視図である。
【図１１】制限部１２２ｃの湾曲形状を示す図である。
【図１２】比較例の弁体２２０の斜視図である。
【図１３】比較例の弁体ガイド２２２を、上方斜めから見た斜視図である。
【図１４】弁体ガイド２２２を、図１３とは反対に、下方斜めから見た斜視図である。
【図１５】弁体２２０と弁体ガイド２２２とが組み立てられたときの斜視図である。
【発明を実施するための形態】
【００２１】
以下に、添付図面を参照しながら、本発明の一実施形態に係る水中ポンプについて、深井戸用水中ポンプを例として説明する。
図１及び図２を参照しながら、本発明の一実施形態に係る深井戸用水中ポンプユニットの全体概要を説明する。なお、本発明は水中ポンプの逆止弁に特徴を有するものであり、逆止弁以外の水中ポンプの構成要素や水中ポンプユニットの構成要素は、従来技術と共通している。また、以下の説明では井戸水を使って詳述するが、扱う対象物としては井戸水に限定されるものではなく、あらゆる種類の液体を対象にすることができる。
【００２２】
図１に基づいて、深井戸用水中ポンプを用いた水中ポンプユニットについて説明する。この図１は、井戸に深井戸用水中ポンプ１０７が設置されている場合を、地面を断面として表現した図である。井戸内には井戸水１０３が所定の水位で存在している。そして、この井戸水１０３内に、深井戸用水中ポンプ１０７が全体的に水没する形態で設置されている。深井戸用水中ポンプ１０７は、下部に水中モータ（モータ部）１０１が取り付けられ、水中モータ１０１の上側にポンプ本体（ポンプ部）１０２が取り付けられている。井戸水１０３を吸い込むための吸込ケーシング１０８は、水中モータ１０１の側に設けられている。そして、吸込ケーシング１０８の反対側に、羽根車（図示略）で昇圧した井戸水を給水するための吐出ケーシング１０９が備えられている。
【００２３】
吐出ケーシング１０９には吐出配管１０４が接続され、吐出しケーシング１０９が送出する水が流れる吐出配管１０４が地上まで延びている。地上における吐出配管１０４の途中には、所定の制御装置（制御部）１０５が設けられている。この制御装置１０５には、吐出配管１０４から分岐した圧力タンク、吐出配管１０４内の圧力を検出する圧力センサ、給水の開始及び停止を制御する制御部（何れも図示略）が設けられている。そして、制御装置１０５の下流側には末端部１０６が設けられ、この末端部１０６から井戸水が排水されるようになっている。
【００２４】
次に、図２に基づいて、ポンプ本体１０２の詳細な構成について説明する。吸込ケーシング１０８の下方部は吸込口１１０となっている。一方、吐出ケーシング１０９の上端部は吐出口１１１となっている。これら吸込ケーシング１０８と吐出ケーシング１０９の間には、下方から順に中間ケーシング１１４、上部ケーシング１１６が設けられ、更にその外側には、ベルト状の締付バンド１２４が設けられている。本図の場合、中間ケーシング１１４は、図示するように８個（８段）ある。
【００２５】
吸込ケーシング１０８について説明する。吸込ケーシング１０８は、ポンプ本体１０２の下端部に設けられ、水中モータ１０１と接続されている。吸込ケーシング１０８には吸込口１１０が形成され、この吸込口１１０から水を吸い込むようになっている。
【００２６】
中間ケーシング１１４の内部を図３に示す。図３は、図２の中間ケーシング１１４の一部である中間ケーシング１１４ａの部分断面図を示す。図３においては、ポンプの中心軸線Ｌの左側はポンプの外表面を示し、中心軸線Ｌの右側はポンプの内部を示す。中間ケーシング１１４の内部には、羽根車１１３とディフューザ１１７が配置され、羽根車１１３は水中モータ１０１の駆動力を伝えるポンプ軸１１２に固定されている。このため、ポンプ軸１１２の回転と共に羽根車１１３が回転するようになっている。なお、図２の例は多段ポンプであり、羽根車１１３とディフューザ１１７が複数組（８組）設けられている。ポンプ軸１１２は、中間ケーシング１１４内に設置された軸受（図示しない）により、回転自在に支持されている。
【００２７】
中間ケーシング１１４は、羽根車（インペラ）１１３およびディフューザ１１７を収容し、井戸水を昇圧するためのものである。すなわち、羽根車１１３がポンプ軸１１２の回転に伴って回転することで、井戸水に半径方向外方に向かう速度エネルギを付与する。この速度エネルギが与えられた井戸水はディフューザ１１７によって昇圧され、次段の羽根車１１３に供給されるようになっている。中間ケーシング１１４は、これら羽根車１１３とディフューザ１１７と共に井戸水のための昇圧通路を形成する。なお、本実施形態に係るポンプ本体１０２は多段ポンプであり、羽根車１１３とディフューザ１１７が複数組設けられている。本実施形態の中間ケーシング１１４は、それぞれの羽根車１１３とディフューザ１１７の組毎に一つ設けられているため、段数に対応した数の中間ケーシング１１４が中心軸線Ｌに沿って並んで連結されている。
【００２８】
吸込ケーシング１０８と吐出ケーシング１０９とは、締付バンド１２４によって締結されている。また、上部ケーシング１１６の内部には、逆止弁の弁体１２０と、これに接触する逆止弁座１２１と、弁体ガイド１２２が設けられている。運転を停止した後の深井戸用水中ポンプでは、弁体１２０の上から吐出配管１０４内の井戸水の重さがかかって逆止弁が閉鎖する。これによって井戸水が弁体１２０から下方に逆流しないようになっている。一方、深井戸用水中ポンプの運転が再開されると、羽根車１１３によって加圧された井戸水が弁体１２０を下方から押圧することにより、逆止弁が開くようになっている。
【００２９】
本実施形態における逆止弁の構造を説明する前に、比較例の逆止弁２２６の構造を、図１２〜１５により説明する。比較例は、弁体ガイドがプレス打ち抜き破断面を有し、弁体は弁体ガイドの打ち抜き破断面のエッジと摺動するものである。このため、弁体が摩耗し、破損するという問題があった。
【００３０】
図１２に比較例の弁体２２０を斜視図で示す。弁体２２０は、金属製の部材であり、下側からの押圧で逆止弁座１２１から浮き、井戸水や空気を上方に流すことができる。比較例の弁体ガイド２２２を、上方斜めから見た斜視図を図１３に示す。図１４は、弁体ガイド２２２を、図１３とは反対に、下方斜めから見た斜視図である。すなわち図１４は、弁体ガイド２２２の下面を示す。さらに、図１５に、弁体２２０と弁体ガイド２２２とが組み立てられたときの斜視図を示す。図１５は、弁体ガイド２２２を、斜め上から見た斜視図を示す。すなわち図１５は、弁体２２０と弁体ガイド２２２とが組み立てられたときの上面を示す。
【００３１】
図１２〜１５を参照して、特に図１３，１４を参照して、弁体ガイド２２２を説明する。弁体ガイド２２２は、逆止弁の弁体２２０を水中ポンプの軸１１２の軸方向に案内するものである。そのために、弁体ガイド２２２は、弁体２２０と接触して弁体２２０を水中ポンプの軸１１２の軸方向Ｌに案内する複数（６個）のガイド部２２２ａと、弁体ガイド２２２を水中ポンプに取り付けるための複数（３個）の取付部２２２ｂとを有する。ガイド部２２２ａの弁体２２０との接触部分は、弁体ガイド２２０の打ち抜き破断面である。弁体２２０は弁体ガイド２２２の打ち抜き破断面のエッジと摺動して、摩耗する。
【００３２】
弁体ガイド２２２は、弁体２２０と接触して弁体２２０の、水中ポンプの軸方向の移動を制限する６個の制限部２２２ｃを有する。制限部２２２ｃの弁体２２０との接触部分は、弁体ガイド２２０の打ち抜き破断面である。弁体２２０は弁体ガイド２２２の打ち抜き破断面のエッジと摺動して、摩耗する。
【００３３】
次に、図４、５に、本実施形態における逆止弁１２６を示す。図４は、図２のＡ部を拡大して示す図である。図５は、図４に示す弁体ガイド１２２を、図４の上方から見た図である。図４は、図５のＡＯＡ断面図である。上部ケーシング１１６の内部には、弁体１２０とこれに当接する逆止弁座１２１が設けられている。弁体１２０は、平面形状が略円形状で、縦断面形状は台形状の中央部と略Ｌ字状の外周部とからなる。図５における円形の点線１２０ａは、弁体１２０と弁体ガイド１２２とを組み合わせたときの弁体１２０の外周部を示す。なお、図４において、弁体ガイド１２２はハッチングで示す。
【００３４】
この逆止弁１２６は、後述するように弁体ガイド１２２自体が有する弾性力によって、上部ケーシング１１６に固定されている。一方、逆止弁座１２１は、略Ｓ字状の断面形状を有するリング状の部材である。この逆止弁座1２１の最外周部が上部ケーシング１１６の内面に嵌合され、逆止弁座１２１が上部ケーシング１１６に支持される。弁体１２０は、弁体ガイド１２２と逆止弁座1２１によって、上下方向及び横方向にその移動が制限される。すなわち、弁体１２０は、弁体ガイド１２２によって、上方向及び横方向への移動
が制限され、逆止弁座1２１によって、下方向及び横方向への移動が制限される。ここで横方向とは、ポンプの回転軸の軸方向に垂直な方向である。
【００３５】
図６に弁体１２０を斜視図で示す。図６は、図４の上方斜めから見た斜視図である。弁体１２０は、金属製の部材、もしくは、当該金属製の部材をゴムで被覆したものであり、下側からの押圧で逆止弁座１２１から浮き、井戸水や空気を上方に流すことができる。図６に示す弁体１２０は、金属製の部材をゴムで被覆したものである。
【００３６】
図４、５に示す弁体ガイド１２２を、図４の上方斜めから見た斜視図を図７に示す。また、弁体ガイド１２２の６面図を図８に示す。図８（ａ）は、図５と同一であり、図４に示す弁体ガイド１２２を、図４の上方から見た図である。図８（ｃ）は、図４に示す弁体ガイド１２２を、図４の下方から見た図である。図８（ｂ）、図８（ｄ）、図８（ｅ）、図８（ｆ）はそれぞれ、図８（ｃ）に示す弁体ガイド１２２を、図８（ｃ）のＢ、Ｄ，Ｅ，Ｆ方向から見た図である。図８（ｇ）は、図８（ｃ）に示す弁体ガイド１２２を、図８（ｃ）のＧ方向斜め上から見た斜視図である。すなわち図８（ｇ）は、弁体ガイド１２２の下面を示す。
【００３７】
図７は、図８（ａ）に示す弁体ガイド１２２を、図８（ａ）のＨ方向斜め上から見た斜視図を示す。すなわち図７は、弁体ガイド１２２の上面を示す。図９は、図８（ｇ）と同様に、図８（ｃ）に示す弁体ガイド１２２を、図８（ｃ）のＧ方向斜め上から見た斜視図であるが、図８（ｇ）よりさらに高い位置から見た図である。すなわち図９は、弁体ガイド１２２の下面を示す。
【００３８】
さらに、図１０に、弁体１２０と弁体ガイド１２２とが組み立てられたときの斜視図を示す。図１０は、図８（ａ）に示す弁体ガイド１２２を、図８（ａ）のＨ方向斜め上から見た斜視図を示す。すなわち図１０は、弁体１２０と弁体ガイド１２２とが組み立てられたときの上面を示す。
【００３９】
図７〜１０を参照して、特に図８を参照して、弁体ガイド１２２を説明する。弁体ガイド１２２は、水中ポンプに用いられる逆止弁１２６の弁体１２０を水中ポンプの軸１１２の軸方向に案内するものである。そのために、弁体ガイド１２２は、弁体１２０と接触して弁体１２０を水中ポンプの軸１１２の軸方向に案内する複数（３個）のガイド部１２２ａと、弁体ガイド１２２を水中ポンプに取り付けるための複数（６個）の取付部１２２ｂとを有する。
【００４０】
ガイド部１２２ａの弁体１２０との接触部分において、水中ポンプの軸方向に垂直なガイド部１２２ａの断面が弁体１２０に向かう方向に突出して湾曲している。複数のガイド部１２２ａと複数の取付部１２２ｂは一体化している。水中ポンプの回転軸１１２の回転方向において、ガイド部１２２ａの各々の両側に取付部１２２ｂが配置されている。
【００４１】
水中ポンプの軸方向に垂直なガイド部１２２ａの断面が弁体１２０に向かう方向に突出して湾曲しているため、湾曲している部分を水中ポンプの軸方向に工具等により押して、弁体ガイド１２２の外形寸法Ｌ１（図５を参照）を一時的に小さくすることができる。弁体ガイド１２２の外形寸法Ｌ１をポンプケーシング１１６の内径寸法より大きく製作しておき、ケーシング１１６に弁体ガイド１２２を嵌め込むときに、弁体ガイド１２２の外形寸法Ｌ１を一時的に小さくして、ケーシング１１６に弁体ガイド１２２を嵌め込むことができる。嵌め込み後は、弁体ガイド１２２の弾性により、ケーシング１１６に弁体ガイドを固定できる。
【００４２】
すなわち、一体部品であること、及び湾曲部分を有することにより、溶接等を用いるこ
となくケーシング１１６への弁体ガイド１２２の組付けが可能である。この結果、ポンプケーシング１１６への弁体ガイド１２２の組付けを容易にし、結果的にポンプ製造原価を抑制し、安価なポンプの提供を可能とする。なお、図５に示す外形寸法Ｌ１は、ポンプの回転軸１１２の軸心Ｏから弁体ガイド１２２の外周までの長さを示す。
【００４３】
弁体ガイド１２２は、弁体１２０と接触して弁体１２０の、水中ポンプの軸方向の移動を制限する６個の制限部１２２ｃを有する。制限部１２２ｃの弁体１２０との接触部分において、水中ポンプの回転軸１１２の回転方向における制限部１２２ｃの断面が弁体１２０に向かう方向に突出して湾曲している。制限部１２２ｃの弁体１２０との接触部分１２２ｄの拡大図を図１１に示す。図１１は、水中ポンプの回転軸１１２の回転方向における制限部１２２ｃの断面図である。この断面図は、水中ポンプの回転軸１１２の軸方向に平行な方向おける制限部１２２ｃの断面図でもある。
【００４４】
図１１（ａ）は、図８（ａ）のＩ−Ｉ断面図である。図１１（ａ）では、制限部１２２ｃは、ステンレス板材を折り曲げることにより制限部１２２ｃの一部に湾曲部１２２ｄを形成する。湾曲部１２２ｄが接触部分１２２ｄである。図１１（ｂ）は、制限部１２２ｃの別の実施形態における形状を示す。図１１（ｂ）では、ステンレス板材を湾曲させることにより制限部１２２ｃの一部に湾曲部１２２ｄを形成し、湾曲部１２２ｄが接触部分１２２ｄである。
【００４５】
図８（ｅ）におけるガイド部１２２ａの頂部と、湾曲部１２２ｄの頂部との距離Ｈ１が、弁体１２０のポンプ軸方向の移動可能範囲である。すなわち、距離Ｈ１は、弁体１２０をポンプ軸方向にどの程度移動させる必要があるかということから決定される。なお、図８（ｅ）に示すように、取付部１２２ｂの頂部１２２ｅは、ガイド部１２２ａの頂部１２２ｆより低くなっている。その理由は、材料の節約によるコストの低減、及び重量の軽減である。
【００４６】
弁体ガイド１２２は以下のようにして製造することができる。弁体ガイド１２２は、ステンレスの薄くて長い板材料から製造する。板材料の厚さは、図８（ａ）に示す厚さＴ１と同一であり、板材料の幅は、図８（ｆ）に示す高さＨ２と同一である。この板材料からプレス打ち抜きにより、ガイド部１２２ａと、取付部１２２ｂと、制限部１２２ｃの展開形状を有する１枚の平面状の板を形成する。平面状の板を、折り曲げ加工及び湾曲加工し、板の長手方向の両端部同士を溶接する。最後に制限部１２２ｃを形成するために湾曲又は折り曲げ加工を行う。
【００４７】
なお、既述の弁体ガイドは一体化しているが、弁体ガイドは一体化していなくてもよい、すなわち、図８（ａ）における部分１２２ｇがない弁体ガイドでもよい。このとき、弁体１２０の、水中ポンプの軸方向の移動を制限する弁体ガイドは、弁体１２０と接触して弁体の、水中ポンプの軸方向の移動を制限する制限部１２２ｃと、弁体ガイドを水中ポンプに取り付けるための取付部１２２ｂとを有する。制限部１２２ｃの弁体１２０との接触部分１２２ｄにおいて、水中ポンプの回転軸の回転方向における制限部１２２ｃの断面が弁体に向かう方向に突出して湾曲している。この弁体ガイドを３個以上用いることにより、弁体１２０の移動を制限することができる。また弁体ガイドは、既述の形状を有するガイド部１２２ａにより弁体１２０を軸方向にガイドすることができる。この弁体ガイドにおいても、弁体１２０との接触部分が湾曲しているため、弁体１２０の摩耗を低減することができるという利点がある。一体化していない場合、弁体ガイドをケーシングに取り付ける場合、溶接等の方法が必要となる。
【符号の説明】
【００４８】
１０１  水中モータ
１０２  ポンプ本体
１０７  深井戸用水中ポンプ
１２０  弁体
１２２  弁体ガイド
１２２ａ  ガイド部
１２２ｂ  取付部
１２２ｃ  制限部
１２６  逆止弁
【図１】
0006629052.tif 000002
【図２】
0006629052.tif 000003
【図３】
0006629052.tif 000004
【図４】
0006629052.tif 000005
【図５】
0006629052.tif 000006
【図６】
0006629052.tif 000007
【図７】
0006629052.tif 000008
【図８】
0006629052.tif 000009
【図９】
0006629052.tif 000010
【図１０】
0006629052.tif 000011
【図１１】
0006629052.tif 000012
【図１２】
0006629052.tif 000013
【図１３】
0006629052.tif 000014
【図１４】
0006629052.tif 000015
【図１５】
0006629052.tif 000016